(57)【要約】【課題】  複数のカメラなどからの複数チャンネルの映像信号の中から、要求に応じて選択された映像データを、既存のインターネットのような通信ネットワークを介して、端末装置に対して送信可能な映像データ送信装置において、関係者以外には秘匿したい映像データの漏洩を防ぎ、また、第三者に対して積極的に公開したい映像データに関しては、不特定多数へ映像データを配信できるようにすること。【解決手段】  あらかじめ設定された特定の映像データについては、全ての他の装置への送信を行わないように制御、または、あらかじめ設定されたユーザの他の装置への送信を行わないように制御する。【選択図】      図１
2005167602.tif 000002
【特許請求の範囲】
【請求項１】
入力されてくる映像信号を変換処理した映像データの中から、送信要求に応じた映像データを選択して出力する送信映像データ選択手段と、
該送信映像データ選択手段の出力を、通信ネットワーク経由で他の装置へ送信する通信手段とを、
含む映像データ送信装置において、
前記送信映像データ選択手段は、あらかじめ設定された特定の映像データについては、全ての前記他の装置への送信を行わないように制御、または、あらかじめ設定されたユーザ以外のユーザーの前記他の装置への送信を行わないように制御することを特徴とする映像データ送信装置。
【請求項２】
入力されてくる映像信号を変換処理した映像データを記録する記録手段と、
送信要求に応じた映像データを前記記録手段から選択的に読み出して出力する送信映像データ選択手段と、
該送信映像データ選択手段の出力を、通信ネットワーク経由で他の装置へ送信する通信手段とを、
含む映像データ送信装置において、
前記送信映像データ選択手段は、あらかじめ設定された特定の映像データについては、全ての前記他の装置への送信を行わないように制御、または、あらかじめ設定されたユーザ以外のユーザーの前記他の装置への送信を行わないように制御することを特徴とする映像データ送信装置。
【請求項３】
入力されてくる映像信号を変換処理した映像データを記録する記録手段と、
送信要求に応じた映像データを前記記録手段から選択的に読み出して出力するか、または、入力されてくる映像信号を変換処理した映像データの中から送信要求に応じた映像データを選択して出力するかを、リアルタイムの映像データの要求か過去の映像データの要求かに応じて切り替えて制御する送信映像データ選択手段と、
該送信映像データ選択手段の出力を、通信ネットワーク経由で他の装置へ送信する通信手段とを、
含む映像データ送信装置において、
前記送信映像データ選択手段は、あらかじめ設定された特定の映像データについては、全ての前記他の装置への送信を行わないように制御、または、あらかじめ設定されたユーザ以外のユーザーの前記他の装置への送信を行わないように制御することを特徴とする映像データ送信装置。
【請求項４】
請求項１ないし３の何れか１項に記載の映像データ送信装置において、
前記特定の映像データは、特定の時間帯にカメラで撮影された映像信号を変換処理した映像データ、または、特定の被写体を含む映像データもしくは特定の被写体を含まない映像データであることを特徴とする映像データ送信装置。
【請求項５】
入力されてくる複数チャンネルの映像信号を変換処理した映像データの中から、送信要求に応じた映像データを選択して出力する送信映像データ選択手段と、
該送信映像データ選択手段の出力を、通信ネットワーク経由で他の装置へ送信する通信手段とを、
含む映像データ送信装置において、
前記送信映像データ選択手段は、あらかじめ設定された特定の映像データについては、全ての前記他の装置への送信を行わないように制御、または、あらかじめ設定されたユーザの前記他の装置への送信を行わないように制御することを特徴とする映像データ送信装置。
【請求項６】
入力されてくる複数チャンネルの映像信号を変換処理した映像データを記録する記録手段と、
送信要求に応じた映像データを前記記録手段から選択的に読み出して出力する送信映像データ選択手段と、
該送信映像データ選択手段の出力を、通信ネットワーク経由で他の装置へ送信する通信手段とを、
含む映像データ送信装置において、
前記送信映像データ選択手段は、あらかじめ設定された特定の映像データについては、全ての前記他の装置への送信を行わないように制御、または、あらかじめ設定されたユーザ以外のユーザーの前記他の装置への送信を行わないように制御することを特徴とする映像データ送信装置。
【請求項７】
入力されてくる複数チャンネルの映像信号を変換処理した映像データを記録する記録手段と、
送信要求に応じた映像データを前記記録手段から選択的に読み出して出力するか、または、入力されてくる複数チャンネルの映像信号を変換処理した映像データの中から送信要求に応じた映像データを選択して出力するかを、リアルタイムの映像データの要求か過去の映像データの要求かに応じて切り替えて制御する送信映像データ選択手段と、
該送信映像データ選択手段の出力を、通信ネットワーク経由で他の装置へ送信する通信手段とを、
含む映像データ送信装置において、
前記送信映像データ選択手段は、あらかじめ設定された特定の映像データについては、全ての前記他の装置への送信を行わないように制御、または、あらかじめ設定されたユーザの前記他の装置への送信を行わないように制御することを特徴とする映像データ送信装置。
【請求項８】
請求項５ないし７の何れか１項に記載の映像データ送信装置において、
前記特定の映像データは、特定のチャンネルの映像データ、または、特定の時間帯にカメラで撮影された映像信号を変換処理した映像データ、または、特定の被写体を含む映像データもしくは特定の被写体を含まない映像データであることを特徴とする映像データ送信装置。
【請求項９】
請求項１ないし８の何れか１項に記載の映像データ送信装置において、
送信する映像データを暗号化する暗号化手段を有し、該暗号化手段は、前記送信映像データ選択手段から出力される映像データのうちで、あらかじめ設定された暗号化対象の映像データを暗号化することを特徴とする映像データ送信装置。
【請求項１０】
入力されてくる複数チャンネルの映像信号を時分割で切り替えて出力する映像信号切替手段と、
該映像信号切替手段からの出力を圧縮する映像信号圧縮手段と、
該映像信号圧縮手段で圧縮された映像データを記録する記録手段と、
送信要求に応じて、前記映像信号圧縮手段の出力から選択した映像データを出力、または、前記記録手段から選択的に読み出した映像データを出力する映像データ選択手段と、
該送信映像データ選択手段の出力を、通信ネットワーク経由で他の装置へ送信する通信手段とを、
含む映像データ送信装置において、
前記送信映像データ選択手段は、あらかじめ設定された特定の映像データについては、全ての前記他の装置への送信を行わないように制御、または、あらかじめ設定されたユーザの前記他の装置への送信を行わないように制御することを特徴とする映像データ送信装置。
【請求項１１】
請求項１０に記載の映像データ送信装置において、
前記特定の映像データは、特定のチャンネルの映像データ、または、特定の時間帯にカメラで撮影された映像信号を変換処理した映像データ、または、特定の被写体を含む映像データもしくは特定の被写体を含まない映像データであることを特徴とする映像データ送信装置。
【請求項１２】
請求項１０または１１に記載の映像データ送信装置において、
前記記録手段に圧縮記録された映像データを伸張する映像信号伸張手段と、
前記映像信号切替手段からの出力と前記映像信号伸張手段の出力とを択一選択して、前記映像信号圧縮手段と異なる圧縮率で映像データを圧縮する第２の映像信号圧縮手段とを有し、
送信要求と前記映像データ送信装置の前記通信ネットワークへの接続仕様とに応じて、前記映像データ選択手段は、前記映像信号圧縮手段の出力から選択した映像データを出力、または、前記記録手段から選択的に読み出した映像データを出力、または、前記第２の映像信号圧縮手段の出力から選択した映像データを出力することを特徴とする映像データ送信装置。
【請求項１３】
請求項１０または１１に記載の映像データ送信装置において、
前記記録手段に圧縮記録された映像データを伸張する映像信号伸張手段と、
前記映像信号切替手段からの出力と前記映像信号伸張手段の出力とを択一選択して、前記映像信号圧縮手段と異なる圧縮率で映像データを圧縮する第２の映像信号圧縮手段とを有し、
送信要求圧縮レートを含む送信要求に応じて、前記映像データ選択手段は、前記映像信号圧縮手段の出力から選択した映像データを出力、または、前記記録手段から選択的に読み出した映像データを出力、または、前記第２の映像信号圧縮手段の出力から選択した映像データを出力することを特徴とする映像データ送信装置。
【請求項１４】
請求項１０ないし１３の何れか１項に記載の映像データ送信装置において、
送信する映像データを暗号化する暗号化手段を有し、該暗号化手段は、前記送信映像データ選択手段から出力される映像データのうちで、あらかじめ設定された暗号化対象の映像データを暗号化することを特徴とする映像データ送信装置。
【発明の詳細な説明】
【技術分野】
【０００１】
本発明は、監視カメラシステムなどに適用して好適な映像データ送信装置に関するものである。
【背景技術】
【０００２】
従来の監視カメラシステムでは、複数台の監視カメラによって撮影した映像信号を、スイチャなどを介して映像データ記録部とモニタとに供給し、映像データ記録部において映像データを記録媒体に記録するとともに、モニタ上に映像（監視画像）を表示するようになっている。上記の監視カメラ、映像データ記録部、モニタは、映像および制御用の信号を伝送する専用の同軸ケーブルなどで接続されており、撮影された映像を確認するためには、モニタが設置されている保安室などの特定の場所に出向く必要があった。
【０００３】
一方、複数のカメラにより撮影した映像信号を、記録媒体に記録するだけではなく、監視対象場所にある監視カメラや映像データ記録部などを含む監視・記録機器と、遠隔地にある再生端末とを、通信ネットワークなどを介して接続して、遠隔地にある再生端末からの映像送信要求に応じた映像データを記録媒体から読み出して、これを再生端末に送信することで、遠隔地において映像（監視画像）をモニタリングできるようにした監視システムも知られている（例えば、特許文献１参照）。
【特許文献１】特開２０００−２７８６７２号公報
【発明の開示】
【発明が解決しようとする課題】
【０００４】
ところで、ネットワーク経由で映像データを送信する場合、関係者以外の第三者への映像データの漏洩を防ぐためには、専用線などの構築が必要となりコストがかかる。一方、既存のインターネットを用いれば、ネットワークを構築するコストはかからない。また、店舗の商品陳列状況などを店内監視カメラ画像を使用してユーザーに公開したいなどの、不特定多数への映像データの公開には、インターネットのようなネットワークが適している。しかし、インターネットを用いる場合には、関係者以外には秘匿したい映像データの送信については工夫を要し、また、インターネットでの送信を行ないたくない映像データに関しても配慮を払わなければならない。
【０００５】
本発明は上記の点に鑑みなされたもので、その目的とするところは、複数のカメラなどからの複数チャンネルの映像信号の中から、送信要求に応じて選択された映像データを、既存のインターネットのような通信ネットワークを介して、端末装置に対して送信可能な映像データ送信装置において、関係者以外には秘匿したい映像データの漏洩を防ぎ、また、第三者に対して積極的に公開したい映像データに関しては、不特定多数へ映像データを配信できるようにすることにある。
【課題を解決するための手段】
【０００６】
上記した目的を達成するため、本願による映像データ送信装置の代表的な１つの発明では、
カメラなどから入力されてくる複数チャンネルの映像信号を時分割で切り替えて出力する映像信号切替手段と、
該映像信号切替手段からの出力を圧縮する映像信号圧縮手段と、
該映像信号圧縮手段で圧縮された映像データを記録する記録手段と、
送信要求に応じて、前記映像信号圧縮手段の出力から選択した映像データを出力、または、前記記録手段から選択的に読み出した映像データを出力する映像データ選択手段と、
該送信映像データ選択手段の出力を、通信ネットワーク経由で他の装置へ送信する通信手段とを、
有し、
前記送信映像データ選択手段は、あらかじめ設定された特定の映像データについては、全ての前記他の装置への送信を行わないように制御、または、あらかじめ設定されたユーザの前記他の装置への送信を行わないように制御する。  
さらに、送信する映像データを暗号化する暗号化手段を有し、該暗号化手段は、前記送信映像データ選択手段から出力される映像データのうちで、あらかじめ設定された暗号化対象の映像データを暗号化する。
【発明の効果】
【０００７】
本発明によれば、例えば複数のカメラで撮影された複数チャンネルの映像信号の中から、端末装置からの送信データを指定する送信要求に応じて選択された映像データを、既存のインターネットのような手軽に利用できる通信ネットワークを介して、端末装置に対して送信可能な監視カメラシステムのような映像データ送信装置において、あらかじめ設定された特定の映像データについては、全ての端末装置への送信を行わないように制御、または、あらかじめ設定されたユーザ以外の端末装置への送信を行わないように制御するので、監視カメラシステムのような映像データ送信装置内でのみモニタリング（閲覧）したい映像データや、特定の端末装置のユーザにのみ閲覧を許可したい映像データについては、関係者以外の第三者に対して映像データを秘匿することができ、インターネットを利用するシステムであっても、関係者以外には秘匿したい映像データの漏洩を防ぐことができる。また、第三者に対して閲覧を許可してもよい映像データや、第三者に対して積極的に公開したい映像データに関しては、不特定多数へ映像データを配信することができる。  
さらに、通信ネットワーク経由で配信を許可した映像データの中で、あらかじめ設定された暗号化対象の映像データについては、これを暗号化して送信するので、暗号化信号を復号できる鍵をもった特定のユーザのみが映像をモニタリングすることができ、関係者以外への映像データの秘匿性を高めることができる。
【発明を実施するための最良の形態】
【０００８】
以下、本発明の実施の形態を、図面を用いて説明する。  
図１は、本発明の第１実施形態に係る映像データ送信装置の構成を示すブロック図であり、本実施形態の映像データ送信装置は、監視カメラシステムへの適用例である。
【０００９】
図１において、１０１、１０２、１０３はカメラ、１０４、１０５、１０６は映像信号入力端子、１０７は映像信号切替部、１０８はチャンネル切替部、１０９は映像圧縮部、１１０は例えばハードディスクなどの記録部、１１１は送信映像データ選択部、１１２は暗号化部、１１３は通信部で、これらの構成要素１０１〜１１３を含んで映像データ送信装置（監視カメラシステム）が構築されている。また、１１７はインターネットなどの既存の通信ネットワーク、１１８は遠隔地に配置された端末装置である。
【００１０】
図１に示す構成において、複数のカメラ１０１、１０２、１０３は、撮影した映像信号をそれぞれ映像入力端子１０４、１０５、１０６に出力する。ここで、映像入力端子１０４、１０５、１０６に入力された映像信号を、それぞれチャンネル「１」、チャンネル「２」、チャンネル「３」と以下表記する。映像入力端子１０４、１０５、１０６から入力された複数のチャンネル「１」、チャンネル「２」、チャンネル「３」の映像信号は、映像信号切替部１０７に入力される。チャンネル切替部１０８は、複数チャンネルの映像信号を、例えばフレーム単位で切り替えるように映像信号切替部１０７を制御する。したがって、映像信号切替部１０７の出力は、例えばフレーム単位でチャンネル「１」、チャンネル「２」、チャンネル「３」、チャンネル「１」、チャンネル「２」、チャンネル「３」の順番で切り替えられ、複数チャンネルの映像信号が時分割で混合される。図２の（ａ）は、映像信号切替部１０７への入力映像信号を示し、図２の（ｂ）は、映像信号切替部１０７から出力される映像信号を示しており、図中でＣＨｎはチャンネル番号を、Ｆｎはフレーム番号を表わしている。
【００１１】
映像信号切替部１０７からの出力信号は、映像圧縮部１０９に供給され、圧縮符号化される。映像圧縮部１０９は、例えばＭＰＥＧ２の圧縮方式などを用いて映像信号を圧縮符号化する。また、映像圧縮部１０９は、チャンネル切替部１０８からの信号によって複数のチャンネル「１」、チャンネル「２」、チャンネル「３」の映像のどのチャンネルが入力されているかを判断し、チャンネル識別信号を出力信号に付加するとともに、タイムコード信号も出力信号に付加する。さらに、映像圧縮部１０９は、特定の被写体を含む映像データもしくは特定の被写体を含まない映像データであること示す被写体識別信号が、カメラから映像信号とともに出力されている場合には、この被写体識別信号も出力信号に付加する。被写体識別信号としては、輪郭抽出や肌色検出などの画像処理により人物が写っているかどうかを識別する信号や、カメラが首振り動作する場合にあらかじめ定められた回動角範囲を示す信号などが挙げられる。そして、映像圧縮部１０９で圧縮符号化された信号は、記録部１１０に記録される。
【００１２】
なお、映像信号切替部１０７からの出力信号は、図示しないモニタ装置にも供給されるようになっており、モニタ装置では、監視者の所望するチャンネルの映像、あるいは、各チャンネルをマルチ表示した映像などが、モニタリングできるようになっている。
【００１３】
送信映像データ選択部１１１は、端末装置１１５からの送信用データを指定する送信要求に応じて、映像圧縮部１０９から出力される映像データの中から送信要求に応じた映像データを選択、もしくは、記録部１１０に記録された映像データの中から送信要求に応じた映像データを選択し、これが通信ネットワーク１１４を通じて外部に配信することが許可された映像データである場合には、選択した映像データを暗号化部１１２に出力する。また、通信ネットワーク１１４を通じて外部に配信することを禁止している映像データである場合には、送信映像データ選択部１１１は選択した映像データの出力は行わず、さらに、特定のユーザにのみ配信を許可している映像データであって、配信を許可されていないユーザからの送信要求であった場合にも、送信映像データ選択部１１１は選択した映像データの出力は行わない。
【００１４】
通信ネットワーク１１４を通じての配信（送信）を許可しない映像データは、例えば、特定のチャンネルの映像データ、あるいは、特定の時間帯にあるチャンネルまたは複数チャンネルのカメラで撮影して得られた映像データ、あるいは、特定の被写体（人物など）を含む映像データもしくは特定の被写体（金庫や貴重品の場所など）を含まない映像データなどが挙げられ、これらは、映像データ送信装置（監視カメラシステム）の運用責任者などが、送信映像データ選択部１１１の所定記憶エリアにあらかじめ設定しておくようにされる。また、特定のユーザにのみ配信を許可している映像データのチャンネル番号などと、配信を許可しているユーザの端末装置１１５のＵＲＬ（Uniform Resource Locator）などの識別子との対応付けも、映像データ送信装置（監視カメラシステム）の運用責任者などが、送信映像データ選択部１１１の所定記憶エリアにあらかじめ設定しておくようにされる。
【００１５】
端末装置１１５と通信ネットワーク１１４を通じて相互通信を行う通信部１１３は、ある端末装置１１５からの送信要求を受け取ると、この送信要求に含まれる、ＵＲＬと、チャンネルを指定するチャンネル指定データと、映像圧縮部１０９から出力されるリアルタイムの映像データであるか記録部１１０に記録されている過去の映像データのどの時間帯であるかを示す時間指定データとを、送信映像データ選択部１１１に通知する。これを受けて、送信映像データ選択部１１１は、送信要求に応じた映像データを選択して、選択した映像データが全面的に配信を禁止しているものである否かを判別し、また、選択した映像データが特定のユーザにのみ配信を許可している映像データである場合には、送信要求を送ってきた端末装置１１５のＵＲＬによって、配信許可／配信禁止を判別する。そして、配信することが許可された映像データである場合には、選択した映像データを暗号化部１１２に対して出力する。なお、送信映像データ選択部１１１から暗号化部１１２に出力する映像データには、あるチャンネルの映像データから、ある時間帯の映像データを抜き取った映像データや、あるチャンネルの映像データから、前記したような特定の被写体を含む映像データもしくは特定の被写体を含まない映像データを抜き取った映像データである場合も有りえる。
【００１６】
送信映像データ選択部１１１から出力される映像データを受け取った暗号化部１１２は、受け取った映像データが、あらかじめ設定された暗号化対象の映像データである場合には、暗号化を行って通信部１１３に出力し、暗号化対象の映像データでない場合には、映像データをそのまま通信部１１３に出力する。
【００１７】
上記の暗号化対象の映像データは、特定のチャンネルの映像データであっても、あるいは、特定の時間帯にあるチャンネルまたは複数チャンネルのカメラで撮影して得られた映像データであっても、あるいは、特定の被写体を含む映像データもしくは特定の被写体を含まない映像データなどであってもよく、これらは、映像データ送信装置（監視カメラシステム）の運用責任者などが、暗号化部１１２の所定記憶エリアにあらかじめ設定しておくようにされる。
【００１８】
暗号化部１１２で行う暗号化処理は任意のものが採用可能であるが、ここでは公開鍵暗号方式を採っており、端末装置１１５からの送信要求に含まれる公開鍵を用いて、暗号化部１１２は暗号化を行い、端末装置１１５では、端末個々に機密保持した秘密鍵を用いて暗号化された映像データの復号化を行うようになっている。公開鍵暗号方式には、公知のＲＳＡ（Rivest Shamir Adleman）方式などを用いることができる。
【００１９】
暗号化部１１２からの出力は、通信部１１３に入力され、通信ネットワーク１１４を経由して、例えば遠隔地にある送信要求を行ってきた端末装置１１５に送信され、端末装置１１５では、送信されてきた圧縮された映像データを適宜に伸張して、モニタ部で送信されたきた映像データをモニタリングし、必要に応じて圧縮映像データの記録を行う。また、送信されてきた映像データが暗号化圧縮映像データである場合には、端末装置１１５は秘密鍵を用いて復号化を行った後、伸張処理を行う。
【００２０】
なお、上述した説明では、通信ネットワーク１１４を通じて外部に配信することを禁止している映像データである場合には、送信映像データ選択部１１１は選択した映像データの出力は行わず、また、特定のユーザにのみ配信を許可している映像データであって、配信を許可されていないユーザからの送信要求であった場合にも、送信映像データ選択部１１１は選択した映像データの出力は行わないとしたが、上記の２例の場合には、送信映像データ選択部１１１は送信禁止データあることを、送信要求を行ってきた端末装置１１５に対して通知するために、記録部１１０や別のメモリにあらかじめ保存してある送信禁止データである旨を示すデータを選択して出力するようにしてもよい（これは、以下の第２実施形態においても同様である）。
【００２１】
次に、本発明の第２実施形態に係る映像データ送信装置について説明する。図３は、本発明の第２実施形態に係る映像データ送信装置の構成を示すブロック図であり、本実施形態の映像データ送信装置も、監視カメラシステムへの適用例である。なお、図３において、図１に示した前記第１実施形態と同様の構成要素には同一符号を付し、その説明は重複を避けるため割愛する。
【００２２】
図３において、２０１は映像伸張部、２０２は信号選択部、２０３は映像圧縮部、２０４は送信映像データ選択部である。
【００２３】
図３に示す構成において、映像伸張部２０１は、通信部１１３を介して端末装置１１５から受け取った送信要求に含まれる前記したチャンネル指定データ、時間指定データにより、送信要求を受けた映像データが記録部１１０に記憶された過去の映像データである場合には、記録部１１０から該当する圧縮符号化された映像データを読み出して、これを伸張して信号選択部２０２に出力する。この際、映像伸張部２０１は、入力信号に含まれる前記したチャンネル識別信号、タイムコード信号、被写体識別信号も出力信号に付加することは、言うまでもない。
【００２４】
信号選択部２０２は、端末装置１１５からの送信要求で過去の映像データが指定された場合には、映像伸張部２０１を出力信号を選択して、これを映像圧縮部２０３に出力する。また、信号選択部２０２は、端末装置１１５からの送信要求でリアルタイムの映像データが指定された場合には、指定されたチャンネルの映像信号を映像信号切替部１０７の出力から選択して、これを映像圧縮部２０３に出力する。この際、信号選択部２０２は、映像信号切替部１０７の出力から選択した映像信号に、前記したチャンネル識別信号、タイムコード信号、被写体識別信号を付加する。
【００２５】
信号選択部２０２からの出力信号は、映像圧縮部２０３に供給され、圧縮符号化される。この映像圧縮部２０３は、例えばＭＰＥＧ４の圧縮方式などを用いて、前記した映像圧縮部１０９より高い圧縮率で、映像信号を圧縮符号化する。また、映像圧縮部２０３は、圧縮符号化した映像データに、前記したチャンネル識別信号、タイムコード信号、被写体識別信号を付加する。
【００２６】
送信映像データ選択部２０４は、映像圧縮部１０９から出力される映像データの中からチャンネル指定データに応じて選択した映像データ、もしくは、記録部１１３からチャンネル指定データ、時間指定データに応じて読み出した映像データ、もしくは、映像圧縮部２０３から出力される映像データのいずれかを択一選択し、前記した送信映像データ選択部１１１での出力可否判定アルゴリズムと同様の判定処理を行って、択一選択した映像データが配信を許可された映像データである場合には、これを暗号化部１１２に出力する。暗号化部１１２では、先と同様に、受け取った映像データが、あらかじめ設定された暗号化対象の映像データである場合には、暗号化を行って通信部１１３に出力し、暗号化対象の映像データでない場合には、映像データをそのまま通信部１１３に出力する。暗号化部１１２からの出力は、通信部１１３に入力され、通信ネットワーク１１４を経由して、例えば遠隔地にある送信要求を行ってきた端末装置１１５に対して送信される。
【００２７】
ここで、送信映像データ選択部２０４が、ＭＰＥＧ４による圧縮映像データを送信するか、ＭＰＥＧ２による圧縮映像データを送信するかの選択は、通信部１１３と通信ネットワーク１１４との接続仕様に応じて、選択決定されたり、あるいは、端末装置１１５からの送信要求に含まれる送信要求圧縮レートに応じて、選択決定されるようになっている。例えば、端末装置１１５の画像処理能力が高く、高圧縮レートの送信が指定された場合には、送信映像データ選択部２０４は、映像圧縮部２０３の出力を選択し、反対に端末装置１１５から低圧縮レートの送信が指定された場合には、送信映像データ選択部２０４は、映像圧縮部１０９の出力または記録部１１３からデータを選択する。
【図面の簡単な説明】
【００２８】
【図１】本発明の第１実施形態に係る映像データ送信装置の構成を示すブロック図である。
【図２】図１中の映像信号切替部の入力信号と出力信号を示す説明図である。
【図３】本発明の第２実施形態に係る映像データ送信装置の構成を示すブロック図である。
【符号の説明】
【００２９】
１０１、１０２、１０３  カメラ
１０４、１０５、１０６  映像信号入力端子
１０７  映像信号切替部
１０８  チャンネル切替部
１０９  映像圧縮部
１１０  記録部
１１１  送信映像データ選択部
１１２  暗号化部
１１３  通信部
１１４  通信ネットワーク
１１５  端末装置
２０１  映像伸張部
２０２  信号選択部
２０３  映像圧縮部
２０４  送信映像データ選択部
【図１】
2005167602.tif 000003
【図２】
2005167602.tif 000004
【図３】
2005167602.tif 000005